(57)【要約】【課題】文書の印刷物がオリジナルであるか否かの判別を可能にする、簡易な文書処理装置を提供する。【解決手段】文書処理装置１０は、文書を受け付ける文書受付部１１と、上記受け付けられた文書に、複写されると周期性が損なわれる周期パターンを付加する付加部１２と、を有する。【選択図】図２
2007324917.tif 000002
【特許請求の範囲】
【請求項１】
文書を受け付ける文書受付部と、
前記受け付けられた文書に、複写されると周期性が損なわれる周期パターンを付加する付加部と、
を有することを特徴とする文書処理装置。
【請求項２】
請求項１に記載の文書処理装置であって、
前記周期パターンは、万線パターンであることを特徴とする文書処理装置。
【請求項３】
請求項１または２に記載の文書処理装置であって、
前記周期パターンは、モノクロ２値画像であることを特徴とする文書処理装置。
【請求項４】
請求項１〜３のいずれか１項に記載の文書処理装置であって、
前記付加部は、位置の基準を示す位置基準マークを、前記周期パターンの近傍に配置されるように、前記文書に付加することを特徴とする文書処理装置。
【請求項５】
請求項１〜４のいずれか１項に記載の文書処理装置であって、
前記付加部は、前記文書の印刷物の各々を識別するための識別情報を示すバーコードを、前記周期パターンの近傍に配置されるように、前記文書に付加することを特徴とする文書処理装置。
【請求項６】
文書を受け付けるステップと、
前記受け付けられた文書に、複写されると周期性が損なわれる周期パターンを付加するステップと、
を有することを特徴とする文書処理方法。
【請求項７】
コンピュータに、
文書を受け付けるステップと、
前記受け付けられた文書に、複写されると周期性が損なわれる周期パターンを付加するステップと、
を実行させることを特徴とする文書処理プログラム。
【発明の詳細な説明】
【技術分野】
【０００１】
本発明は、文書処理装置、文書処理方法、および文書処理プログラムに関する。
【背景技術】
【０００２】
従来より、オリジナルと複写物を識別するための技術が様々提案されている。
【０００３】
例えば、特許文献１には、オリジナルか否か、またはオリジナルから何番目の生成物かを示す世代情報を目立たないように埋め込んで印刷出力する画像処理方法が開示されている。
【０００４】
また、特許文献２には、原稿を読み取って得られた画像における、スクリーンの形状、スクリーンの周期、エッジの先鋭度、およびエッジの色の滲みを検出し、検出結果に基づいて原稿が複製されたものであるか否かを判別する技術が開示されている。
【０００５】
また、特許文献３には、ランダムドット画像と暗号画像を両面に印刷することにより、通常のプリンタで可視的な透かしを実現する技術が開示されている。
【０００６】
【特許文献１】特開２００４−３３６８０７号公報
【特許文献２】特開２００４−２６０５２３号公報
【特許文献３】特開２００４−３３６５３９号公報
【発明の開示】
【発明が解決しようとする課題】
【０００７】
本発明は、文書の印刷物がオリジナルであるか否かの判別を可能にする、簡易な、文書処理装置、文書処理方法、および文書処理プログラムを提供することを目的とする。
【課題を解決するための手段】
【０００８】
本発明に係る文書処理装置は、文書を受け付ける文書受付部と、前記受け付けられた文書に、複写されると周期性が損なわれる周期パターンを付加する付加部と、を有することを特徴とする。
【０００９】
本発明の一態様では、前記周期パターンは、万線パターンである。
【００１０】
また、本発明の一態様では、前記周期パターンは、モノクロ２値画像である。
【００１１】
また、本発明の一態様では、前記付加部は、位置の基準を示す位置基準マークを、前記周期パターンの近傍に配置されるように、前記文書に付加する。
【００１２】
また、本発明の一態様では、前記付加部は、前記文書の印刷物の各々を識別するための識別情報を示すバーコードを、前記周期パターンの近傍に配置されるように、前記文書に付加する。
【００１３】
本発明に係る文書処理方法は、文書を受け付けるステップと、前記受け付けられた文書に、複写されると周期性が損なわれる周期パターンを付加するステップと、を有することを特徴とする。
【００１４】
本発明に係る文書処理プログラムは、コンピュータに、文書を受け付けるステップと、前記受け付けられた文書に、複写されると周期性が損なわれる周期パターンを付加するステップと、を実行させることを特徴とする。
【発明の効果】
【００１５】
本発明によれば、文書の印刷物がオリジナルであるか否かの判別を可能にする、簡易な、文書処理装置、文書処理方法、および文書処理プログラムを提供することができる。
【発明を実施するための最良の形態】
【００１６】
以下、本発明の実施の形態を図面に従って説明する。
【００１７】
［全体構成］
図１は、本実施の形態に係る文書処理装置を含むシステム１の概略構成図である。図１において、システム１は、文書処理装置１０、印刷装置２０、情報管理装置３０、および文書判別装置４０を有する。本実施の形態では、文書処理装置１０、情報管理装置３０、および文書判別装置４０は、コンピュータであり、装置１０〜４０は、ＬＡＮ(Local Area Network)やインターネット等のネットワークを介して互いに接続されている。ただし、システム１の具体的な構成は、適宜に変更可能である。
【００１８】
文書処理装置１０は、処理対象の文書に対し、原本性をチェックするためのパターンである原本性チェックパターンを付加する装置である。本実施の形態では、文書処理装置１０は、さらに、上記処理対象の文書に対し、当該文書の印刷物の各々を識別するための識別情報（以下、「出力用紙ＩＤ」と称す）を埋め込む。
【００１９】
なお、以降の説明では、上記処理対象の文書を印刷して得られる印刷物を「オリジナル」と称し、オリジナルから複写により得られる印刷物を「複写物」と称し、オリジナルおよび複写物を「文書印刷物」と総称する。
【００２０】
印刷装置２０は、文書処理装置１０により原本性チェックパターンが付加された文書を、紙等の印刷媒体に印刷して出力する装置である。印刷装置２０は、例えば、電子写真方式やインクジェット方式などの適宜の方式により印刷を行う、プリンタやデジタル複合機などである。
【００２１】
情報管理装置３０は、印刷装置２０により出力された印刷物（オリジナル）の各々について、当該印刷物の出力に関する情報（例えば、出力者、出力日時、出力機械番号など）を、当該印刷物の出力用紙ＩＤと関連付けて記憶し、管理する装置である。
【００２２】
文書判別装置４０は、文書印刷物に印刷されている原本性チェックパターンに基づき、当該文書印刷物の原本性をチェックする、すなわち当該文書印刷物がオリジナルであるか否かを判別する装置である。
【００２３】
なお、上記各装置１０〜４０の各種機能は、例えば、ＲＯＭ（Read Only Memory）やハードディスク等の記録媒体に記録されたプログラムがメインメモリに読み出されてＣＰＵ（Central Processing Unit）に実行されることによって実現される。このようなプログラムは、ＣＤ−ＲＯＭ等の適宜の記録媒体に記録されて配布されることも可能であるし、ネットワーク経由で配信されることも可能である。ただし、上記各装置１０〜４０の機能の一部または全部は、専用のハードウェア装置など、他の構成により実現されてもよい。
【００２４】
［文書処理装置および印刷装置の機能構成］
図２は、文書処理装置１０および印刷装置２０の機能構成を示すブロック図である。以下、図２に従って、文書処理装置１０および印刷装置２０の機能構成について説明する。図２において、文書処理装置１０は、文書受付部１１および付加部１２を有し、印刷装置２０は、文書印刷部２１を有する。
【００２５】
文書受付部１１は、処理対象の文書を受け付ける。具体的には、文書受付部１１は、チケットや金券など、原本性を保証したい文書の電子データを受け付ける。
【００２６】
付加部１２は、文書受付部１１により受け付けられた文書に、原本性チェックパターンを付加する。ここで、原本性チェックパターンは、複写されると周期性が損なわれる周期パターンである。より具体的には、原本性チェックパターンは、複写機により複写されると周期性が損なわれることによって、文書印刷物がオリジナルであるか否かの判別を可能にする周期パターンである。周期パターンの解像度は、文書印刷用の印刷装置（例えば一般的なプリンタ）により周期性を損なうことなく出力することができる程度の低解像度に設定される。また、周期パターンの解像度は、そのオリジナル出力が複写機により複写されると周期性が損なわれる程度の高解像度に設定される。好適には、一般的な複写機による複写を防止すべく、周期パターンの解像度は、一般的な複写機により複写されると周期性が損なわれるように設定される。本実施の形態では、周期パターンは、３００ｌｐｉ程度の万線パターンであり、モノクロ２値画像である。
【００２７】
本実施の形態では、付加部１２は、さらに、位置の基準を示す位置基準マークを、当該位置基準マークが周期パターンの近傍に配置されるように、上記処理対象の文書に付加する。
【００２８】
また、本実施の形態では、付加部１２は、さらに、上記処理対象の文書の印刷物の各々を識別するための識別情報（出力用紙ＩＤ）を示すバーコードを、当該バーコードが周期パターンの近傍に配置されるように、上記処理対象の文書に付加する。ここで、バーコードは、１次元バーコードであってもよいし、２次元バーコードであってもよい。２次元バーコードとしては、例えば、特開２００２−１３５５５６号公報で開示されている２次元コードや、ＱＲコード（Quick Response code）などが挙げられる。バーコードは、複写機（例えば一般的な複写機）により複写されても情報が失われない程度に低解像度であることが好ましい。
【００２９】
より具体的には、付加部１２は、図３に示される処理対象の文書３００に対し、図４に示される付加画像４００を付加して、図５に示されるパターン付き文書５００を生成する。
【００３０】
図４において、付加画像４００は、３００ｌｐｉの万線パターンである周期パターン４０１と、位置基準マーク４０２と、特開２００２−１３５５５６号公報に記載の２次元コード４０３とを含む。周期パターン４０１は、付加画像４００の最上部の所定領域に配置されている。位置基準マーク４０２および２次元コード４０３は、それぞれ、周期パターン４０１の近傍の所定領域に配置されている。
【００３１】
図５において、パターン付き文書５００は、文書３００と、当該文書３００の所定領域（図５では左下）に付加された付加画像４００とを含む。
【００３２】
再び図２を参照すると、同図の例では、付加部１２は、２次元コード生成部１２ａ、周期パターン生成部１２ｂ、および重畳部１２ｃを有する。
【００３３】
２次元コード生成部１２ａは、外部から受け取った出力用紙ＩＤ、または当該２次元コード生成部１２ａにより生成された出力用紙ＩＤをコード化し、位置基準マークを含む２次元コードを生成する。
【００３４】
周期パターン生成部１２ｂは、周期パターンを生成する。
【００３５】
重畳部１２ｃは、２次元コード生成部１２ａにより生成された２次元コードと、周期パターン生成部１２ｂにより生成された周期パターンとを、２次元コードの近傍の所定位置に周期パターンが配置されるように、文書受付部１１により受け付けられた文書に重畳し、パターン付き文書（具体的には電子データ）を生成する。
【００３６】
文書印刷部２１は、付加部１２により生成されたパターン付き文書を、紙等の印刷媒体に印刷して、印刷文書（オリジナル）を出力する。
【００３７】
［文書処理方法の手順］
図６は、本実施の形態に係る文書処理方法の手順を示すフローチャートである。以下、図６に従って、文書処理方法の手順について説明する。
【００３８】
ステップＳ１では、文書受付部１１は、処理対象の文書を受け付ける。
【００３９】
ステップＳ２では、２次元コード生成部１２ａは、出力用紙ＩＤを２次元コード化する。
【００４０】
ステップＳ３では、周期パターン生成部１２ｂは、周期パターンを生成する。
【００４１】
ステップＳ４では、重畳部１２ｃは、ステップＳ２で生成された２次元コードと、ステップＳ３で生成された周期パターンとを、ステップＳ１で受け付けられた処理対象の文書に重畳し、パターン付き文書を生成する。
【００４２】
ステップＳ５では、文書印刷部２１は、ステップＳ４で生成されたパターン付き文書を印刷出力する。
【００４３】
［オリジナルおよび複写物における周期パターンの例］
図７は、図４のパターンをレーザプリンタ（出力解像度：６００ｄｐｉ）で出力した画像の例、すなわちオリジナルに含まれる付加画像の例である。図７に示されるように、オリジナルでは、周期パターンは、その周期性を損なうことなく描画されている。
【００４４】
図８は、図７の出力パターンを複写機（読み取り解像度：６００ｄｐｉ、出力解像度：６００ｄｐｉ）でコピーした画像の例、すなわち複写物に含まれる付加画像の例である。図８に示されるように、複写物では、周期パターンの周期性が損なわれている。このように、３００ｌｐｉ程度以上の高解像度の周期パターンは、一般的な複写機では再現することができず、崩れたり潰れたりしてしまい、例えば、均一なグレーやドット状パターンになってしまう。一方、位置基準マークおよび２次元コードは、複写されても、読み取り可能な状態を維持しており、その情報を失っていない。
【００４５】
図９は、図７の周期パターン部をスキャナ（読み取り解像度：１２００ｄｐｉ）で読み取ったスキャン画像の階調値を示すグラフである。図９のグラフにおいて、横軸は、図７の周期パターン部の左右方向の位置であり、縦軸は、階調値である。図９から分かるように、オリジナルであれば、周期パターン部の階調値は、３００ｌｐｉ相当の周期的な変化を示す。そして、この周期的な階調変化は、読み取り解像度が十分に高いスキャナ（本例では１２００ｄｐｉ以上程度のスキャナ）であれば、検出することができる。
【００４６】
なお、上記各解像度の具体的数値は、例示にすぎない。例えば、より高解像度の複写機による複写を防止したい場合には、周期パターンの解像度をより高くすればよい。
【００４７】
［文書判別装置の機能構成および動作］
以下、文書判別装置４０の機能構成および動作を併せて説明する。
【００４８】
文書判別装置４０は、読み取り解像度が十分に高いスキャナ（本例では、１２００ｄｐｉ以上程度のスキャナ）４１により、判別対象の文書印刷物の画像を光学的に読み取って、スキャン画像を得る。
【００４９】
ついで、文書判別装置４０は、得られたスキャン画像に基づき、判別対象の文書印刷物がオリジナルであるか複写物であるかを判別する。具体的には、文書判別装置４０は、スキャン画像中の位置基準マークに基づき、スキャン画像における周期パターンの領域を特定する。そして、文書判別装置４０は、特定された領域に所定周期の階調変化があるか否かを判断し、階調変化がある場合には、文書印刷物はオリジナルであると判別し、階調変化がない場合には、文書印刷物は複写物であると判別する。
【００５０】
そして、文書判別装置４０は、上記判別結果を出力する。例えば、文書判別装置４０は、判別結果を表示装置や印刷装置に出力させたり、記憶装置に格納したりする。
【００５１】
また、文書印刷物は複写物であると判別された場合には、文書判別装置４０は、位置基準マークに基づきスキャン画像からバーコードを抽出し、当該バーコードをデコードして文書印刷物の出力用紙ＩＤを取得する。そして、文書判別装置４０は、情報管理装置３０に記憶されている情報を参照して、上記取得された出力用紙ＩＤに関連付けられている印刷物の出力に関する情報（例えば、出力者、出力日時、出力機械番号など）を取得する。そして、文書判別装置４０は、上記取得された出力用紙ＩＤや印刷物の出力に関する情報を出力する。例えば、文書判別装置４０は、上記情報を表示装置や印刷装置に出力させたり、記憶装置に格納したりする。
【００５２】
なお、上記説明では、文書判別装置４０によりオリジナルか否かの判別が行われる例、すなわち機械判別が行われる例が示されているが、オリジナルか否かの判別は、他の方法により行われてもよい。例えば、周期パターン部をルーペ等の拡大鏡や顕微鏡で観察することにより、目視により判別されてもよい。
【００５３】
また、上記説明では、文書にバーコードを埋め込んでいるが、バーコードは省略可能である。したがって、２次元コード生成部１２ａや情報管理装置３０は省略可能である。
【００５４】
また、上記説明では、文書に位置基準マークを付加しているが、位置基準マークも省略可能である。
【００５５】
以上説明した本実施の形態によれば、下記（１）〜（５）の効果が得られ得る。
【００５６】
（１）本実施の形態では、文書を受け付け、当該文書に、複写されると周期性が損なわれる周期パターンを付加する。このため、本実施の形態によれば、簡易な構成または方法により、文書の印刷物がオリジナルであるか否かを判別することが可能となる。例えば、文書の印刷物について、周期パターンの周期性が損なわれていなければオリジナルであると判別し、周期性が損なわれていれば複写物であると判別することができる。
【００５７】
（２）本実施の形態では、周期パターンが万線パターンである。このため、周期パターンの周期性が損なわれているか否かの判別が容易であり、オリジナルか否かの判別が容易である。特に、機械判別を行う場合において、判別の容易化を図ることができる。
【００５８】
（３）本実施の形態では、周期パターンがモノクロ２値画像である。このため、周期パターンを良好に印刷することが可能である。具体的に説明すると、周期パターンがグレー画像やカラー画像である場合には、プリンタの画像処理によりパターンが崩れてしまう。これに対し、周期パターンがモノクロ２値画像である場合には、一般にプリンタによる画像処理は殆ど施されないので、パターンが崩れる度合いが小さい。
【００５９】
（４）本実施の形態では、位置の基準を示す位置基準マークを文書に付加する。このため、機械判別における周期パターンの位置の特定を容易化することができる。また、位置基準マークを周期パターンの近傍に配置するので、機械判別における周期パターンの位置の特定の高精度化を図ることができる。
【００６０】
（５）本実施の形態では、文書の印刷物の各々を識別するための識別情報を文書に付加する。このため、複写物に付されている識別情報に基づき、当該複写物の元となるオリジナルを特定することが可能となる。これにより、例えば、不正な複写物が発見された場合に、どのオリジナルが複製されたかを特定することができ、不正者等を特定する手掛かりを得ることができる。また、識別情報をバーコードとして文書に付加するので、機械による識別情報の読み取りが容易である。また、識別情報を示すバーコードを周期パターンの近傍に配置するので、見栄えがよい。
【００６１】
なお、本発明は、上記実施の形態に限定されるものではなく、本発明の要旨を逸脱しない範囲内で種々変更することができる。
【図面の簡単な説明】
【００６２】
【図１】実施の形態に係る文書処理装置を含むシステムの概略構成図である。
【図２】文書処理装置および印刷装置の機能構成を示すブロック図である。
【図３】処理対象の文書の一例を示す図である。
【図４】付加画像の一例を示す拡大図である。
【図５】パターン付き文書の一例を示す図である。
【図６】実施の形態に係る文書処理方法の手順を示すフローチャートである。
【図７】図４のパターンをレーザプリンタで出力した画像の例である。
【図８】図７の出力パターンを複写機でコピーした画像の例である。
【図９】図７の周期パターン部をスキャナで読み取ったスキャン画像の階調値を示すグラフである。
【符号の説明】
【００６３】
１０  文書処理装置、１１  文書受付部、１２  付加部、２０  印刷装置、３０  情報管理装置、４０  文書判別装置。
【図１】
2007324917.tif 000003
【図２】
2007324917.tif 000004
【図３】
2007324917.tif 000005
【図４】
2007324917.tif 000006
【図５】
2007324917.tif 000007
【図６】
2007324917.tif 000008
【図７】
2007324917.tif 000009
【図８】
2007324917.tif 000010
【図９】
2007324917.tif 000011